(57)【要約】      （修正有）【課題】外観に優れて家内の美観を損なわずに設置でき、片手でも簡単に粘着テープ片に剥がして使用できる積層型粘着テープを提供する。【解決手段】表面を装飾面とし、粘着剤を塗布した裏面を粘着面とした、一端と該一端と対向する他端とを有する複数枚の矩形状の粘着テープを、該一端と該他端を揃えて該表面に該裏面を剥離可能に貼着させて積層した積層型粘着テープ束と、表面と裏面とを有し、取付端と該取付端と対向する開放端とを有する基板と、を含み、前記一端側を前記取付端側に、前記他端側を前記開放端側に、それぞれ揃えて、前記積層型粘着テープ束の最下裏面を前記基板の表面に貼着させて構成する積層型粘着テープ体であって、前記矩形状の粘着テープの裏面の、少なくとも一端に非貼着剥離帯を設けた積層型粘着テープ体。【選択図】図１
2015013968.tif 000002
【特許請求の範囲】
【請求項１】
表面を装飾面とし、粘着剤を塗布した裏面を粘着面とした、一端と該一端と対向する他端とを有する複数枚の矩形状の粘着テープを、該一端と該他端を揃えて該表面に該裏面を剥離可能に貼着させて積層した積層型粘着テープ束と、
表面と裏面とを有し、取付端と該取付端と対向する開放端とを有する基板と、
を含み、
前記一端側を前記取付端側に、前記他端側を前記開放端側に、それぞれ揃えて、前記積層型粘着テープ束の最下裏面を前記基板の表面に貼着させて構成する積層型粘着テープ体であって、
前記矩形状の粘着テープの裏面の、少なくとも一端に非貼着剥離帯を設けた積層型粘着テープ体。
【請求項２】
前記矩形状の粘着テープの裏面の、前記一端及び前記他端に非貼着剥離帯を設けた請求項１に記載の積層型粘着テープ体。
【請求項３】
前記粘着テープの前記他端側に設けた非貼着剥離帯が、前記基板の前記開放端から突出するように、前記積層型粘着テープ束の最下裏面を前記基板の表面に貼着させて構成する、請求項２に記載の積層型粘着テープ。
【請求項４】
前記基板の取付端に輪状具を挿入した、請求項１乃至３のいずれか１項に記載の積層型粘着テープ。
【請求項５】
前記基板の取付端の両端部に輪状具を取り付けた、請求項１乃至３のいずれか１項に記載の積層型粘着テープ。
【請求項６】
前記基板の取付端中央に設孔突起部を突出させた、請求項１乃至３のいずれか１項に記載の積層型粘着テープ。
【請求項７】
前記基板の裏面を剥離可能な貼着面とし、該貼着面に剥離可能なシールを被覆させた、請求項１乃至６のいずれか１項に記載の積層型粘着テープ。
【発明の詳細な説明】
【技術分野】
【０００１】
本発明は、ゴミ取り用粘着テープの積層体に関する。
【背景技術】
【０００２】
外出時等に、衣服に付着した毛や糸屑などを取ったり、床やテーブルに散在した軽量ゴミを手軽に掃除するために、市販の巻状粘着テープが重用される。このような巻状粘着テープも、テープ片に切り易いようにミシン目を入れたり、あるいは特許文献１のように、緯糸に熱融着性を有する繊維を含有させて経糸に熱融着させて手切れ性を保ちつつ切り取り時に繊維屑の発生を抑制するなど、種々の工夫がなされている。
【０００３】
しかし、衣服に付いた屑や家庭用の小ゴミを排除するために、市販の巻状粘着テープを玄関先や室内で露出させて常置するのは如何にも不恰好で家内の美観を損ねかねない。また、市販の巻状粘着テープは出先に持ち運ぶと嵩張って、携帯に不便であった。
【０００４】
そこで、特許文献２は、幅広粘着テープを適度な寸法で切断して平らに重ね合わせたものをとじ金具で閉じた携帯用粘着テープを提案している。また、特許文献３は、対向面が難粘着面とされた一対の被覆板間に蝶着されたテープ巻付け板に、粘着面を外側にしてほこり取り用粘着テープを巻きつけた粘着式ほこり取り具を提供している。
【０００５】
これらの考案は、コンパクトで、外出時に衣類等に付着したゴミ等を除去するために粘着テープを携帯するには便利であるが、粘着テープが剥がしにくいという問題があった。
【０００６】
特許文献４に開示された発明は、粘着面の一端に貼着不能手段を設けて複数枚の粘着テープを重ね合わせ、１枚ずつ剥がせるようにすることで、この難点を克服している。さらに特許文献５は、粘着シートの粘着剤塗布面に、貼着不可能な貼着不能区分帯を設けると共に、この粘着シートを積層して粘着シート群を形成することで、携帯可能な粘着クリーナーを考案し、これを開示している。
【０００７】
【特許文献１】特開２０１２−２２９３５１号公報
【特許文献２】実開平５−６６０３８号公報
【特許文献３】特開２００４−３１３７０７号公報
【特許文献４】特開平７−２２４２６４号公報
【特許文献５】特開平７−２７５１８１号公報
【発明の概要】
【発明が解決しようとする課題】
【０００８】
しかし、これらの考案に係る携帯用粘着テープは、主として外出用に粘着テープをコンパクト化することを目的としており、必ずしも家内において使い勝手がよく、家内の美観を保つために工夫されているものではない。また、粘着テープ片を１枚１枚剥がすにも十分に便利に設計されているとは言えない。
【０００９】
そこで、本発明は、外観に優れて家内の美観を損なわずに設置でき、片手でも簡単に粘
着テープ片に剥がして使用できる積層型粘着テープ体を提供する。
【課題を解決するための手段】
【００１０】
本発明に係る積層型粘着テープ体は、表面を装飾面とし、粘着剤を塗布した裏面を粘着面とした、一端と該一端と対向する他端とを有する複数枚の矩形状の粘着テープを、該一端と該他端を揃えて該表面に該裏面を剥離可能に貼着させて積層した積層型粘着テープ束と、表面と裏面とを有し、取付端と該取付端と対向する開放端とを有する基板と、を含み、
前記一端側を前記取付端側に、前記他端側を前記開放端側に、それぞれ揃えて、前記積層型粘着テープ束の最下裏面を前記基板の表面に貼着させて構成する積層型粘着テープ体であって、前記矩形状の粘着テープの裏面の、少なくとも一端に非貼着剥離帯を設けた。
【００１１】
本発明に係る積層型粘着テープ体は、前記矩形状の粘着テープの裏面の、前記一端及び前記他端に非貼着剥離帯を設けてもよい。
【００１２】
本発明に係る積層型粘着テープ体は、前記粘着テープの前記他端側に設けた非貼着剥離帯が、前記基板の前記開放端から突出するように、前記積層型粘着テープ束の最下裏面を前記基板の表面に貼着させて構成してもよい。
【００１３】
本発明に係る積層型粘着テープ体は、前記基板の取付端に輪状紐または輪状ゴムを挿入し得る。
【００１４】
本発明に係る積層型粘着テープ体は、前記基板の取付端の両端部に輪状紐または輪状ゴムを取り付けてもよい。
【００１５】
本発明に係る積層型粘着テープ体は、前記基板の取付端中央に設孔突起部を突出させてもよい。
【００１６】
本発明に係る積層型粘着テープ体は、前記基板の裏面を剥離可能な貼着面とし、該貼着面に剥離可能なシールを被覆させてもよい。
【発明の効果】
【００１７】
本発明に係る積層型粘着テープ体は、矩形状の粘着テープの裏面の、少なくとも一端に非貼着剥離帯を設けたので、粘着テープを積層しても上下の非貼着剥離帯に貼着せず、非貼着剥離帯を指で摘まんで、容易に粘着テープを積層型粘着テープ体から剥離することができる。
【００１８】
あるいは、矩形状の粘着テープの裏面の一端及び他端の両端に、それぞれ非貼着剥離帯を設ければ、一端側からでも他端側からでも容易に粘着テープを積層型粘着テープ体から剥離することができる。
【００１９】
本発明に係る積層型粘着テープ体は、粘着テープの表面を装飾面とし、表面に様々な模様や図、写真等を付して装飾すれば、家内の調和や美観を損なうことなく家内に設置することができる。
【００２０】
本発明に係る積層型粘着テープ体は、粘着テープの他端側に設けた非貼着剥離帯が、基板の開放端から突出するように、積層型粘着テープ束の最下裏面を基板の表面に貼着させて構成してもよい。このように、非貼着剥離帯を基板の開放端から突出させることで、非貼着剥離帯を摘まみ易くし、より容易に粘着テープを積層型粘着テープ体から剥離することができる。
【００２１】
本発明に係る積層型粘着テープ体は、基板の取付端に輪状紐または輪状ゴムなどの輪状具を挿入したり取り付けてもよく、あるいは取付端の中央に設孔突起部を突出させてもよい。このように孔部を設けることで、当該孔部を壁や冷蔵庫、棚などの表面に取り付けたホックなどに係合させて支点として非貼着剥離帯を片手で摘まんで粘着テープを剥離することができ、積層型粘着テープ体を他方の手で押さえるという不便さを解消することができる。
【００２２】
本発明に係る積層型粘着テープ体は、基板の裏面を剥離可能な貼着面とし、当該貼着面に剥離可能なシールを被覆させてもよい。シールを剥がすことにより貼着面である裏面を露出させ、テーブルや靴台、壁などに固定して、積層型粘着テープ体を使用することができる。この場合も、積層型粘着テープ体を他方の手で押さえることを要せず、非貼着剥離帯を片手で摘まんで容易に粘着テープを剥離することができる。
【図面の簡単な説明】
【００２３】
【図１】本発明に係る積層型粘着テープ体の分解斜視図。
【図２】本発明に係る積層型粘着テープ体の他の実施形態の分解斜視図。
【図３】（ａ）本発明に係る積層型粘着テープ体の斜視図、（ｂ）本発明に係る積層型粘着テープ体の他の実施形態の斜視図。
【図４】（ａ）本発明に係る積層型粘着テープ体の斜視図、（ｂ）本発明に係る積層型粘着テープ体の他の実施形態の斜視図。
【図５】本発明に係る積層型粘着テープ体の平面図。
【図６】本発明に係る積層型粘着テープ体をテーブルに貼着させる様子を表す斜視図。
【図７】本発明に係る積層型粘着テープ体を壁に貼着させる様子を表す斜視図。
【発明を実施するための形態】
【００２４】
以下、図面を参照しながら本発明に係る積層型粘着テープ体の実施形態について説明する。なお、以下各図面を通して同一の構成要素には同一の符号を使用するものとする。
【００２５】
本発明に係る積層型粘着テープ体は、図１に示すように、表面１２Ｕを装飾面とし、粘着剤を塗布した裏面１２Ｄを粘着面とした、一端１４Ｔとこの一端１４Ｔと対向する他端１４Ｂとを有する複数枚の矩形状の粘着テープ１０を、一端１４Ｔと他端１４Ｂを揃えて表面１２Ｕに裏面１２Ｄを剥離可能に貼着させて積層した積層型粘着テープ束２と、表面２２Ｕと裏面２２Ｄとを有し、取付端２４Ｔとこの取付端２４Ｔと対向する開放端２４Ｂとを有する基板２０と、を含み、一端１４Ｔ側を取付端２４Ｔ側に、他端１４Ｂ側を開放端２４Ｂ側に、それぞれ揃えて、積層型粘着テープ束２の最下裏面１２Ｄを基板２０の表面２２Ｕに貼着させて構成する積層型粘着テープ体１である。
【００２６】
本発明に係る積層型粘着テープ体１は、矩形状の粘着テープ１０の裏面１２Ｄの、少なくとも一端１４Ｔに非貼着剥離帯１５Ｔを設ける。あるいは、積層型粘着テープ体１は、図２のように、矩形状の粘着テープ１０の裏面１２Ｄの一端１４Ｔ及び他端１４Ｂに、それぞれ非貼着剥離帯１５Ｔ及び１５Ｂを設けてもよい。
【００２７】
非貼着剥離帯１５Ｔ及び１５Ｂは、粘着テープ１０を積層しても上下の非貼着剥離帯１５Ｔ及び１５Ｂに貼着しないので、非貼着剥離帯１５Ｔまたは１５Ｂを指で摘まんで、容易に粘着テープ１０を積層型粘着テープ体１から剥離することができる。
【００２８】
粘着テープ１０は、市販されている巻状粘着テープと同様の素材で形成してよく、裏面１２Ｄの一端１４Ｔ及び／又は他端１４Ｂに粘着剤が塗布されていない非貼着剥離帯１５Ｔ及び／又は１５Ｂとなっていれば、その素材は特に限定されない。
【００２９】
また、粘着テープ１０の表面１２Ｕは装飾面とし、表面１２Ｕに様々な模様や図、写真等を付して装飾すれば、家内の調和や美観を損なうことなく積層型粘着テープ体１を家内に設置することができる。
【００３０】
積層型粘着テープ束２の最下裏面１２Ｄを貼着させる基板２０は、紙や板、プラスチック等から形成し、その素材は特に限定されない。
【００３１】
図１においては、基板２０の幅は粘着テープ１０の幅より幅広となっているが、図２のように、基板２０の幅は粘着テープ１０の幅を揃えてもよい。
【００３２】
また、図１及び図２においては、基板２０の縦幅は粘着テープ１０の縦幅より長く、積層型粘着テープ束２の最下裏面１２Ｄ全体が基板２０の表面２２Ｕ内部に収まるように貼着されているが、図３（ａ）のように、粘着テープ１０の他端１４Ｂと基板２０の開放端２４Ｂに揃えてもよい。
【００３３】
あるいは、図３（ｂ）のように、粘着テープ１０の他端１４Ｂ側に設けた非貼着剥離帯１５Ｂが、基板２０の開放端２４Ｂから突出するように、積層型粘着テープ束２の最下裏面１２Ｄを基板２０の表面２２Ｕに貼着させて構成してもよい。非貼着剥離帯１５Ｂを基板２０の開放端２４Ｂから突出させることで、非貼着剥離帯１５Ｂを摘まみ易くし、より容易に粘着テープ１０を積層型粘着テープ体１から剥離することができる。
【実施例１】
【００３４】
本発明に係る積層型粘着テープ体１は、図４（ｂ）のように、基板２０の取付端２４Ｔに輪状紐または輪状ゴムなどの輪状具３０を挿入してもよい。図７に描かれているように、壁１００や図示しない冷蔵庫や棚などの表面に取り付けたホック１１２などに輪状具３０を係合させて、積層型粘着テープ体１を便利に使用することができる。例えば、図７のホック１１２に輪状具３０を係合させれば、従来のように積層型粘着テープ体１を他方の手で押さえることを要せず、非貼着剥離帯１５Ｔを片手で摘まんで容易に粘着テープ１０を１枚ずつ剥離することができる。
【実施例２】
【００３５】
あるいは、本発明に係る積層型粘着テープ体１は、図４（ａ）のように、基板２０の取付端２４Ｔの両端部に輪状紐または輪状ゴムなどの輪状具３０を取り付けてもよい。上記実施例１と同様、壁１００などの表面に取り付けた突出部などに輪状具３０を掛けて、積層型粘着テープ体１を便利に使用することができる。この場合も、実施例１と同様に、図７のホック１１２など突起部に輪状具３０を係合させれば、従来のように積層型粘着テープ体１を他方の手で押さえることを要せず、非貼着剥離帯１５Ｔを片手で摘まんで容易に粘着テープ１０を１枚ずつ剥離することができる。
【実施例３】
【００３６】
本発明に係る積層型粘着テープ体１は、図５のように、基板２０の取付端２４Ｔ中央に設孔突起部３２を突出させてもよい。設孔突起部３２は、基板２０と一体成型しても、あるいは外付けしてもよい。本実施例の場合も、実施例１、２と同様に、壁１００や冷蔵庫などの表面から突出させた突起部（例えば図７のホック１１２など）に設孔突起部３２を係合させて、非貼着剥離帯１５Ｔを片手で摘まんで容易に粘着テープ１０を剥離することができる。
【００３７】
以上、実施例１〜３のように、基板２０の取付端２４Ｔ側に輪状具３０や設孔突起部３２を設けて、壁１００などから突出させた突起部などにこれを係合させると、同じく基板２０の取付端２４Ｔ側にある非貼着剥離帯１５Ｔを摘まんで粘着テープ１０を剥離する場合、剥離する力の反作用が上記係合部に働くので、従来のように積層型粘着テープ体１を他方の手で押さえることを要せず、非貼着剥離帯１５Ｔを片手で摘まんで容易に粘着テープ１０を積層型粘着テープ体１から剥離することができる。
【実施例４】
【００３８】
本発明に係る積層型粘着テープ体１は、図６のように、基板２０の裏面２２Ｄを剥離可能な貼着面とし、当該貼着面に剥離可能なシール２６を被覆させてもよい。シール２６を剥がすことにより貼着面である裏面２２Ｄを露出させ、テーブルや靴台、壁などに固定して、積層型粘着テープ体１を使用することができる。裏面２２Ｄを固定した壁等から剥離可能とすると共に、非貼着剥離帯１５Ｔまたは１５Ｄを摘まんで粘着テープ１０を積層型粘着テープ体１から剥離容易なように当該壁などに固定できるように、裏面２２の貼着度合を調整するのが好ましい。この場合も、積層型粘着テープ体１を他方の手で押さえることを要せず、非貼着剥離帯１５Ｔまたは１５Ｄを片手で摘まんで容易に粘着テープ１０を剥離することができる。
【００３９】
以上、積層型粘着テープ体およびその使用方法について説明した。上記のように実施形態、実施例を用いて説明したが、本発明に係る積層型粘着テープ体は上記実施形態等に限定されるものではない。
【００４０】
その他、本発明は、その主旨を逸脱しない範囲で当業者の知識に基づき種々の改良、修正、変更を加えた態様で実施できるものである。
【産業上の利用可能性】
【００４１】
本発明に係る積層型粘着テープ体は、衣服に付いた屑や家庭用の小ゴミを排除するために、手軽に家内に設置して利用することができる。
【符号の説明】
【００４２】
１：積層型粘着テープ体
２：積層型粘着テープ束
１０：粘着テープ
１２Ｕ：表面
１２Ｄ：裏面
１４Ｔ：一端
１４Ｂ：他端
１５Ｔ、１５Ｂ：非貼着剥離帯
２０：基板
２２Ｕ：表面
２２Ｄ：裏面
２４Ｔ：取付端
２４Ｂ：開放端
２６：シール
３０：輪状具
３２：設孔突起部
１００：壁
１１０：テーブル
１１２：ホック
【図１】
2015013968.tif 000003
【図２】
2015013968.tif 000004
【図３】
2015013968.tif 000005
【図４】
2015013968.tif 000006
【図５】
2015013968.tif 000007
【図６】
2015013968.tif 000008
【図７】
2015013968.tif 000009